(57)【要約】【課題】天井板の厚さに関わらず設備機器を任意の位置に設置できるとともに、美観が良好で且つ施工を行い易い天井構造、天井板取付部材および天井構造の施工方法を提供する。【解決手段】天井下地材２と天井板３と天井下地材２に天井板３を取り付ける天井板取付部材５とを備えた天井構造１において、天井板取付部材５は、天井下地材２に固定される受部材１０と、受部材１０に下側から固定され天井板３を支持する支持部材２０とを備えており、受部材１０は、天井板３の上面に当接する上面当接部（張出板部１３）と、下方に開口する凹部と、凹部の内面に形成され支持部材２０を係止する係止部１５とを備え、支持部材２０は、凹部に嵌め込まれ係止部１５に係止される被係止部２１と、天井板３を下側から支持する下面支持部２２とを備えていることを特徴とする。【選択図】図１
2018071338.tif 000002
【特許請求の範囲】
【請求項１】
天井下地材と、天井板と、前記天井下地材に前記天井板を取り付ける天井板取付部材とを備えた天井構造において、
前記天井板取付部材は、前記天井下地材に固定される受部材と、前記受部材に下側から固定される支持部材と、を備えており、
前記受部材は、前記天井板の上面に当接する上面当接部と、下方に開口する凹部と、前記凹部の内面に形成され前記支持部材を係止する係止部と、を備え、
前記支持部材は、前記凹部に嵌め込まれ前記係止部に係止される被係止部と、前記天井板を下側から支持する下面支持部と、を備えている
ことを特徴とする天井構造。
【請求項２】
前記受部材は、断面ハット形状を呈し、前記天井下地材の下面に当接する上板部と、前記上板部の幅方向両端部から下方にそれぞれ延在する側面板部と、前記側面板部の下端から側方に張り出す張出板部とを備えており、
前記凹部は、前記上板部と前記側面板部とで形成され、
前記上面当接部は、前記張出板部からなる
ことを特徴とする請求項１に記載の天井構造。
【請求項３】
前記係止部は、前記側面板部の内側面に形成された第一鉤部からなり、
前記被係止部は、上方に開放された二股形状を呈しており、二股の外側面には、前記第一鉤部と噛み合う第二鉤部が形成されている
ことを特徴とする請求項２に記載の天井構造。
【請求項４】
前記第一鉤部および前記第二鉤部の少なくともいずれか一方は複数段形成されている
ことを特徴とする請求項３に記載の天井構造。
【請求項５】
前記受部材に交差する方向に延在する第二支持部材をさらに備え、
前記第二支持部材は、前記下面支持部と交差して配置される第二支持板部と、この第二支持板部から立ち上がる立上部とを備えており、
前記立上部の端部には、前記上面当接部が入り込む切欠部が形成されている
ことを特徴とする請求項２乃至請求項４のいずれか１項に記載の天井構造。
【請求項６】
前記立上部は、上方に延在する中央の突条と、前記突条の上端から両側に広がって下方に延在する下降部とを備えている
ことを特徴とする請求項５に記載の天井構造。
【請求項７】
前記受部材と前記第二支持部材との交差部分には、前記受部材と前記第二支持部材とを固定する固定部材が設けられており、
前記固定部材は、断面下向きコ字状を呈し前記受部材を覆う本体部と、前記立上部の前記下降部を下側から掛け止める掛止部とを備えている
ことを特徴とする請求項６に記載の天井構造。
【請求項８】
前記天井板は、ポリエステル製の板材と、前記板材の表面に敷設されたガラスクロスとを備えており、可撓性を有する
ことを特徴とする請求項１乃至請求項７のいずれか１項に記載の天井構造。
【請求項９】
天井下地材と、天井板と、前記天井下地材に前記天井板を取り付ける天井板取付部材とを備えた天井構造において、
前記天井板取付部材は、前記天井下地材に固定される受部材と、前記受部材に下側から固定され前記天井板を支持する支持部材とを備えており、
前記受部材は、下方に開口する凹部と、前記凹部の内面に形成され前記支持部材を係止する係止部と、を備え、
前記支持部材は、前記凹部に嵌め込まれ前記係止部に係止される被係止部と、前記天井板を下側から支持する下面支持部とを備えている
ことを特徴とする天井構造。
【請求項１０】
前記立上部は、上方に延在する中央の突条と、前記突条の側面から両側に広がる水平板部とを備えており、
前記水平板部は、前記天井板の上面に当接する
ことを特徴とする請求項５に記載の天井構造。
【請求項１１】
前記受部材と前記第二支持部材との交差部分には、前記受部材と前記第二支持部材とを固定する固定部材が設けられており、
前記固定部材は、断面下向きコ字状を呈し前記受部材に嵌合される本体部と、前記受部材に交差する方向に張り出し前記突条を挟む張出部とを備えている
ことを特徴とする請求項１０に記載の天井構造。
【請求項１２】
天井下地材に天井板を取り付ける天井板取付部材であって、
前記天井下地材に固定される受部材と、前記受部材に下側から固定され支持部材と、を備えており、
前記受部材は、前記天井板の上面に当接する上面当接部と、下方に開口する凹部と、前記凹部の内面に形成され前記支持部材を係止する係止部と、を備え、
前記支持部材は、前記凹部に嵌め込まれ前記係止部に係止される被係止部と、前記天井板を下側から支持する下面支持部と、を備えている
ことを特徴とする天井板取付部材。
【請求項１３】
請求項１に記載の天井構造を構築する施工方法であって、
前記天井下地材に前記受部材を固定する受部材固定工程と、
前記受部材に前記支持部材を仮固定する支持部材仮固定工程と、
前記受部材の前記上面当接部と前記支持部材の前記下面支持部との間に前記天井板の端縁部を挿入する天井板設置工程と、
前記支持部材を前記受部材に本固定する支持部材本固定工程と、を備えた
ことを特徴とする天井構造の施工方法。
【発明の詳細な説明】
【技術分野】
【０００１】
本発明は、天井構造、天井板取付部材および天井構造の施工方法に関する。
【背景技術】
【０００２】
野縁等の下地材に天井板を固定するに際しては、下地材に取り付けられた断面ハット型の長尺部材からなる天井板取付金具が用いられている（たとえば特許文献１参照）。天井板取付金具は、下地材の下端面に当接する固定板部と、固定板部の幅方向両端からそれぞれ垂れ下がる一対の側板部と、側板部の下端から外側に張り出す支持板部とを備えている。天井板の端縁部が、支持板部上に係止されて、支持板部と下地材とで挟まれている。天井板取付金具は、天井板間の目地となっている。
【先行技術文献】
【特許文献】
【０００３】
【特許文献１】特開２０１６−８４７９号公報
【発明の概要】
【発明が解決しようとする課題】
【０００４】
特許文献１の天井板取付金具では、支持板部と下地材との間で天井板を挟んでいるため、天井板が薄いと挟持することができなかった。そこで、下地材に薄型の天井板を固定するに際しては、天井板取付金具を用いずに、長尺のフラットバーで天井板の端縁部を下側から押えて、そのフラットバーを下地材にビス止めする構成が採用されていた。しかしながら、この構成では、フラットバーと下地材との間隔が狭いため、下地材と交差する位置に照明装置等の設備機器を設置することができなかった。また、フラットバーを固定するビスが室内側に露出するので美観が損ねられる問題もあった。なお、特許文献１の天井板取付金具も固定板部を固定するビスが室内側に露出していた。
【０００５】
さらに、天井板取付金具およびフラットバーのいずれを用いた場合も、天井板を支持した状態で天井板取付金具またはフラットバーをビス止めする必要があるので、施工が大変であった。
【０００６】
そこで、本発明は、前記の問題を解決するためになされたものであり、天井板の厚さに関わらず設備機器を任意の位置に設置できるとともに、美観が良好で且つ施工を行い易い天井構造、天井板取付部材および天井構造の施工方法を提供することを課題とする。
【課題を解決するための手段】
【０００７】
前記課題を解決するための本発明は、天井下地材と、天井板と、前記天井下地材に前記天井板を取り付ける天井板取付部材とを備えた天井構造において、前記天井板取付部材は、前記天井下地材に固定される受部材と、前記受部材に下側から固定され支持部材と、を備えている。前記受部材は、前記天井板の上面に当接する上面当接部と、下方に開口する凹部と、前記凹部の内面に形成され前記支持部材を係止する係止部と、を備えている。前記支持部材は、前記凹部に嵌め込まれ前記係止部に係止される被係止部と、前記天井板を下側から支持する下面支持部と、を備えていることを特徴とする。
【０００８】
このような構成によれば、受部材の上面当接部と、支持部材の下面支持部とで天井板を挟むので、上面当接部と下面支持部との間隔を変更すれば、種々の厚さの天井板を固定することができる。また、天井下地材の下方で受部材の上面当接部との間に設備機器の設置スペースを確保できるので、設備機器を任意の位置に設置できる。さらに、受部材のビス等の固定手段を支持部材で隠すことができるので美観が良好となる。また、受部材は、天井板の設置前に天井下地材に固定することができるので、天井板を保持しながらビス止めする必要はない。したがって、施工を容易に行うことができる。
【０００９】
また、本発明の天井構造においては、前記受部材は、断面ハット形状を呈し、前記天井下地材の下面に当接する上板部と、前記上板部の幅方向両端部から下方にそれぞれ延在する側面板部と、前記側面板部の下端から側方に張り出す張出板部とを備えている。そして、  前記凹部は、前記上板部と前記側面板部とで形成され、前記上面当接部は、前記張出板部からなることが好ましい。このような構成によれば、上面当接部と天井板の当接面積が大きくなるので、天井板がより一層安定した状態で支持されることとなる。
【００１０】
さらに、本発明の天井構造においては、前記係止部は、前記側面板部の内側面に形成された第一鉤部からなり、前記被係止部は、上方に開放された二股形状を呈しており、二股の外側面には、前記第一鉤部と噛み合う第二鉤部が形成されていることが好ましい。このような構成によれば、被係止部を凹部に嵌め込むだけで第二鉤部が第一鉤部に噛み合うので、支持部材を受部に容易に係止することができる。
【００１１】
また、本発明の天井構造においては、前記第一鉤部および前記第二鉤部の少なくともいずれか一方は複数段形成されていることが好ましい。このような構成によれば、上面当接部と下面支持部との間隔を複数段階にできる。これによって、上面当接部と下面支持部との間隔が広い状態で天井板の設置を容易に行うことができるとともに、天井板の設置後に上面当接部と下面支持部との間隔を狭めることで容易に天井板を挟持して固定することができる。さらに、上面当接部と下面支持部との間隔を複数設定することができるので、複数種の厚さの天井板を固定することができる。
【００１２】
さらに、本発明の天井構造は、前記受部材に交差する方向に延在する第二支持部材をさらに備えている。前記第二支持部材は、前記下面支持部と交差して配置される第二支持板部と、この第二支持板部から立ち上がる立上部とを備えており、前記立上部の端部には、前記上面当接部が入り込む切欠部が形成されていることが好ましい。このような構成によれば、天井板の周縁部を安定した状態で係止することができる。
【００１３】
本発明の天井構造においては、前記立上部は、上方に延在する中央の突条と、前記突条の上端から両側に広がって下方に延在する下降部とを備えていることが好ましい。このような構成によれば、第二支持部材の構造強度を大きくすることができる。
【００１４】
また、本発明の天井構造においては、前記受部材と前記第二支持部材との交差部分には、前記受部材と前記第二支持部材とを固定する固定部材が設けられており、前記固定部材は、断面下向きコ字状を呈し前記受部材を覆う本体部と、前記立上部の前記下降部を下側から掛け止める掛止部とを備えていることが好ましい。このような構成によれば、受部材の上板部と側面板部で第二支持部材の荷重を支持することができるので、上面当接部に過度の荷重が掛かるのを防止できる。
【００１５】
さらに、本発明の天井構造においては、前記天井板は、ポリエステル製の板材と、前記板材の表面に敷設されたガラスクロスとを備えており、可撓性を有することが好ましい。このような構成によれば、天井板が軽量であるとともに、設置時に変形可能であるので、天井板の設置作業を行い易い。
【００１６】
また、第二支持部材を備えた本発明の天井構造においては、前記立上部は、上方に延在する中央の突条と、前記突条の側面から両側に広がる水平板部とを備えており、前記水平板部は、前記天井板の上面に当接することが好ましい。このような構成によれば、第二支持板部と水平板部とで天井板を挟むので、天井板の固定強度が高くなる。
【００１７】
さらに、本発明の天井構造においては、前記受部材と前記第二支持部材との交差部分には、前記受部材と前記第二支持部材とを固定する固定部材が設けられており、前記固定部材は、断面下向きコ字状を呈し前記受部材に嵌合される本体部と、前記受部材に交差する方向に張り出し前記突条を挟む張出部とを備えていることが好ましい。このような構成によれば、受部材と第二支持部材との固定強度が高くなる。
【００１８】
前記課題を解決するための第二の本発明は、天井下地材と、天井板と、前記天井下地材に前記天井板を取り付ける天井板取付部材とを備えた天井構造において、前記天井板取付部材は、前記天井下地材に固定される受部材と、前記受部材に下側から固定され前記天井板を支持する支持部材とを備えている。前記受部材は、下方に開口する凹部と、前記凹部の内面に形成され前記支持部材を係止する係止部と、を備えている。前記支持部材は、前記凹部に嵌め込まれ前記係止部に係止される被係止部と、前記天井板を下側から支持する下面支持部とを備えていることを特徴とする。
【００１９】
このような構成によれば、支持部材の下面支持部上に天井板を係止して固定するので、種々の厚さの天井板を固定することができる。また、天井下地材の下方において、受部材の高さ分の設備機器の設置スペースを確保できるので、設備機器を任意の位置に設置できる。さらに、受部材のビス等の固定手段を支持部材で隠すことができるので美観が良好となる。また、受部材は、天井板の設置前に天井下地材に固定することができるので、天井板を保持しながらビス止めする必要はない。したがって、施工を容易に行うことができる。
【００２０】
前記課題を解決するための第三の本発明は、天井下地材に天井板を取り付ける天井板取付部材であって、前記天井下地材に固定される受部材と、前記受部材に下側から固定され支持部材と、を備えている。前記受部材は、前記天井板の上面に当接する上面当接部と、下方に開口する凹部と、前記凹部の内面に形成され前記支持部材を係止する係止部と、を備え、前記支持部材は、前記凹部に嵌め込まれ前記係止部に係止される被係止部と、前記天井板を下側から支持する下面支持部と、を備えていることを特徴とする。
【００２１】
このような天井板取付部材を用いれば、請求項１に記載の天井構造を構築できるので、請求項１と同様の作用効果を得ることができる。
【００２２】
前記課題を解決するための第四の本発明は、請求項１に記載の天井構造を構築する施工方法であって、前記天井下地材に前記受部材を固定する受部材固定工程と、前記受部材に前記支持部材を仮固定する支持部材仮固定工程と、前記受部材の前記上面当接部と前記支持部材の前記下面支持部との間に前記天井板の端縁部を挿入する天井板設置工程と、前記支持部材を前記受部材に本固定する支持部材本固定工程と、を備えたことを特徴とする。
【００２３】
このような施工方法によれば、受部材を、天井板の設置前に天井下地材に固定するので、天井板を保持しながらビス止めする必要はない。したがって、施工を容易に行うことができる。また、支持部材が仮固定の状態で天井板を設置した後に、支持部材を本固定するので、天井板の位置調整を行ってからの本固定となる。したがって、天井板の位置精度を高めることができる。
【発明の効果】
【００２４】
本発明によれば、天井板の厚さに関わらず設備機器を任意の位置に設置できるとともに、美観が良好で且つ施工を行い易い、といった優れた効果を発揮する。
【図面の簡単な説明】
【００２５】
【図１】本発明の実施形態に係る天井構造を示した断面図である。
【図２】本発明の実施形態に係る天井構造を示した平面図である。
【図３】本発明の実施形態に係る天井板取付部材を示した図であって、（ａ）は受部材を示した正面図、（ｂ）は支持部材を示した正面図である。
【図４】第二支持部材を示した正面図である。
【図５】本発明の実施形態に係る天井板取付部材を示した図であって、（ａ）は仮固定状態を示した斜視図、（ｂ）は本固定状態を示した斜視図である。
【図６】受部材に第二支持部材を固定する工程を示した図であって、（ａ）は第二支持部材を受部材の高さに持ち上げた状態を示した斜視図、（ｂ）は第二支持部材を受部材の所定位置に設置した状態を示した斜視図である。
【図７】受部材に第二支持部材を固定する工程を示した図であって、（ａ）は固定部材を受部材に設置した状態を示した斜視図、（ｂ）は固定部材を回転させて第二支持部材を固定した状態を示した斜視図である。
【図８】受部材に第二支持部材を固定した状態を示した断面図である。
【図９】本発明の実施形態に係る天井構造に照明装置を設置した状態を示した断面図である。
【図１０】本発明の実施形態に係る天井構造に受部材に沿う間仕切壁を設置した状態を示した断面図である。
【図１１】受部材に間仕切壁のランナーを固定する吊固定部材を示した斜視図である。
【図１２】受部材に間仕切壁のランナーを固定する工程を示した図であって、（ａ）は吊固定部材を持ち上げた状態を示した斜視図、（ｂ）は固定部材を回転させて受部材に固定した状態を示した斜視図である。
【図１３】本発明の他の実施形態に係る天井構造を示した断面図である。
【図１４】本発明のさらなる他の実施形態に係る天井構造を示した断面図である。
【図１５】変形例に係る第二支持部材を受部材に固定する工程を示した図であって、（ａ）は固定部材を受部材に設置する前の状態を示した斜視図、（ｂ）は固定部材を受部材と第二支持部材に仮止めした状態を示した斜視図である。
【図１６】変形例に係る第二支持部材を受部材に固定した状態を示した斜視図である。
【図１７】変形例に係る第二支持部材を受部材に固定した状態を示した断面図である。
【発明を実施するための形態】
【００２６】
本発明の実施形態に係る天井構造、天井板取付部材および天井構造の施工方法について図面を参照しながら詳細に説明する。図１および図２に示すように、本実施形態に係る天井構造１は、天井下地材２と、天井板３と、天井下地材２に天井板３を取り付ける天井板取付部材５と、第二支持部材３０とを備えている。図１は、図２のＡ−Ａ線部分の断面図である。天井下地材２は、溝型の軽量鉄骨製の野縁からなり、図２に示したＸ方向に延在している。野縁は図示しない野縁受けによって支持されている。野縁受けは、図２に示したＹ方向（野縁と直交する方向）に延在している。なお、天井下地材２は、前記構成の野縁に限定されるものではなく、木製の野縁やグリッド状に組まれた下地等の他のものであってもよい。
【００２７】
天井板３は、ポリエステル製の板材と、板材の表面に敷設されたガラスクロスとを備えて構成されている。天井板３は、可撓性を有するとともに、軽量でありながら、断熱性と吸音効果を併せもつ。天井板３の重量は、石膏ボード製の天井板の重量の略１／１０である。また、天井板３の厚さは、たとえば略４ｍｍであって、一般的なロックウールや石膏ボードや珪酸カルシウム製の天井材の厚さの半分以下である。
【００２８】
図１に示すように、天井板取付部材５は、天井下地材２の下面に固定されて、天井下地材２の下側で天井板３を支持する部材である。天井板取付部材５は、天井下地材２に直交する方向に延在する長尺部材であって、天井板３の目地部分に沿って配置されている。天井板取付部材５は、受部材１０と支持部材２０とを備えている。受部材１０と支持部材２０は、それぞれアルミニウム製の押出形材にて構成されている。
【００２９】
受部材１０は、天井下地材２に固定されるとともに、支持部材２０を支持する部材である。図３にも示すように、受部材１０は、断面ハット形状を呈しており、上板部１１と一対の側面板部１２，１２と一対の張出板部１３，１３とを備えている。上板部１１と側面板部１２，１２とで形成された凹部の内面には、後記する係止部１５が形成されている。
【００３０】
上板部１１は、天井下地材２の下面に当接する部位であって、ビス１４によって天井下地材２の底面に固定されている。ビス１４は、上板部１１の下側から天井下地材２の底面に向かって取り付けられている。
【００３１】
各側面板部１２は、上板部１１の幅方向両端部から下方にそれぞれ垂下して延在している。側面板部１２の垂下長さは、照明装置６（図８参照）などの設備機器の高さ寸法より大きく、設備機器を設置可能となっている。側面板部１２の上端部には、幅方向（Ｘ方向）外側に突出する突条１２ａ（図３参照）が形成されている。一対の側面板部１２，１２は、平行に形成されており、互いに対向している。
【００３２】
側面板部１２の内側面（対向面）には、係止部１５（図３参照）が形成されている。係止部１５は、支持部材２０を係止する部位である。係止部１５は、内側に突出する第一鉤部１６（図３参照）からなる。第一鉤部１６は、上下二段に形成されており、上側第一鉤部１６ａの突出寸法は、下側第一鉤部１６ｂの突出寸法よりも大きい。上側第一鉤部１６ａの上面と、下側第一鉤部１６ｂの上面は共に水平面になっている。
【００３３】
張出板部１３は、天井板３の上面が当接する上面当接部を構成している。この上面当接部と支持部材２０とで、天井板３を挟持する。張出板部１３は、側面板部１２の下端から外側に向かって直角に折れ曲がっており、水平方向に張り出している。張出板部１３の下面が、天井板３の上面と当接する当接面となる。一対の張出板部１３，１３は、それぞれ同じ高さに形成されている。
【００３４】
支持部材２０は、天井板３を下側から係止する部材であって、受部材１０に下側から固定される。支持部材２０は、被係止部２１（図３参照）と一対の下面支持部２２，２２（図３参照）とを備えている。被係止部２１は、上方に開放された二股形状（本実施形態では断面Ｕ字形状）を呈しており、下面支持部２２の上面から立ち上がる立上板部２３（図３参照）の上端に形成されている。被係止部２１は、上板部１１と側面板部１２，１２とで形成された凹部に嵌め込まれる。被係止部２１の二股の外側面には、第二鉤部２４（図３参照）が形成されている。第二鉤部２４は、第一鉤部１６と噛み合う。第二鉤部２４は、上下二段に形成されている。上側第二鉤部２４ａの突出部は、断面半円形状を呈している。下側第二鉤部２４ｂの突出部は、上端部が断面円弧形状を呈し、下端が水平面になっている。
【００３５】
図５の（ａ）に示すように、上側第二鉤部２４ａを、上側第一鉤部１６ａと下側第一鉤部１６ｂの間に位置させると、支持部材２０の仮固定状態となる。このとき、上側第二鉤部２４ａは断面半円形状であるので、被係止部２１を受部材１０の側面板部１２，１２間から、容易に引き抜くことができる。図５の（ｂ）に示すように、上側第二鉤部２４ａを、上側第一鉤部１６ａの上側まで押し込み、下側第二鉤部２４ｂを、上側第一鉤部１６ａと下側第一鉤部１６ｂの間に位置させると、支持部材２０の本固定状態となる。このとき、下側第二鉤部２４ｂの下面が水平面であるとともに、下側第一鉤部１６ｂの上面が水平面となっているので、水平面同士が当接する。したがって、被係止部２１を受部材１０の側面板部１２，１２間から、引き抜き難くなっている。
【００３６】
被係止部２１を受部材１０の側面板部１２，１２間に嵌め込む際には、被係止部２１は二股形状を呈しているので、変形可能となっている。具体的には、第二鉤部２４が第一鉤部１６間を通過するときは、二股の幅が狭くなって、第二鉤部２４が第一鉤部１６間を通過すると、二股の幅が元に戻る。これによって、支持部材２０の装着作業が行い易くなっている。
【００３７】
図１および図３に示すように、下面支持部２２は、天井板３の端縁部を下側から支持する板状の部位であって、立上板部２３を中心に幅方向（Ｘ方向）外側にそれぞれ広がっている。上面当接部（張出板部１３）と下面支持部２２とで天井板３を挟持する。下面支持部２２は、張出板部１３の張出方向中間部辺りまで延在している（図１参照）。下面支持部２２の上面が、天井板３の下面と当接する当接面となる。両側の下面支持部２２，２２は、面一となっており、下方から見て一枚の板状になっている。下面支持部２２，２２は、隣り合う天井板３，３間の目地となる。
【００３８】
第二支持部材３０は、図４に示すように、天井板取付部材５（受部材１０）に直交する方向（Ｘ方向）に延在しており、隣り合う受部材１０，１０間に架け渡されている。第二支持部材３０は、一対の第二支持板部３１，３１と立上部３２とを備えている。第二支持部材３０は、アルミニウム製の押出形材にて構成されている。第二支持部材３０は、固定部材４０を介して受部材１０に固定される。
【００３９】
第二支持板部３１は、天井板３の端縁部を下側から支持する板状の部位である。図４，図７および図８に示すように、第二支持板部３１は、立上部３２を中心に幅方向（Ｙ方向）外側にそれぞれ広がっている。第二支持板部３１は、下面支持部２２と同じ高さに配置される（図８参照）。第二支持板部３１，３１の長手方向（Ｘ方向）端部は、張出板部１３の下方に位置し、下面支持部２２の側面に当接する位置まで延在している。第二支持板部３１の上面が、天井板３の下面と当接する当接面となる。両側の第二支持板部３１，３１は、面一となっており、下方から見て一枚の板状になっている。第二支持板部３１，３１の幅寸法は、下面支持部２２，２２の幅寸法と等しい。第二支持板部３１，３１は、隣り合う天井板３，３間の目地となる。
【００４０】
立上部３２は、突条３３と下降部３４とを備えている。突条３３は、第二支持板部３１の上面から立ち上がる板状の部位である。突条３３は、第二支持部材３０の幅方向中央から上方に延在する。立上部３２は、第二支持板部３１の補強リブの役目を果たす。
【００４１】
下降部３４は、断面が下向きに開く半円形状を呈しており、突条３３の上端から両側に広がって下方に延在している。下降部３４は、第二支持部材３０を受部材１０に固定する際に、固定部材４０（図７参照）が係止される部位である。
【００４２】
図６の（ａ）に示すように、立上部３２の長手方向端部であって、第二支持部材３０が受部材１０と交差して接続される交差部分には、切欠部３５が形成されている。切欠部３５は、張出板部１３（上面当接部）が入り込むスペースである。切欠部３５を形成したことで、第二支持板部３１が張出板部１３の下方に延在して、下面支持部２２と突き合わせられる。
【００４３】
図７および図８に示すように、固定部材４０は、受部材１０と第二支持部材３０とを固定する部材である。固定部材４０は、本体部４１と掛止部４２とを備えている。本体部４１は、断面下向きコ字状を呈し受部材１０を上から覆う。本体部４１は、一対の側面部４３，４３と連結部４４とを備えている。側面部４３は、長方形形状を呈しており、受部材１０の側面板部１２の外側に沿って配置される（図７の（ｂ）参照）。側面部４３には、側面板部１２側に傾斜する傾斜板部４５が切起しにて形成されている。傾斜板部４５は、側面部４３をカットしてその一部を折り曲げて形成されている。傾斜板部４５が側面板部１２の上端部の突条１２ａに引っ掛かることで、固定部材４０が受部材１０に係止される（図７の（ｂ）参照）。側面部４３には、貫通孔４６が形成されており、ビスを介して側面部４３を側面板部１２に固定するようにしてもよい。
【００４４】
連結部４４は、側面部４３，４３を連結する部位であって、受部材１０の上板部１１上に配置される。連結部４４は、側面部４３の長手方向一端側（固定状態で第二支持部材３０から離れた側）に形成されており、側面部４３の長手方向他端側は、対向して離れている。連結部４４には、貫通孔４７が形成されており、ビスを介して連結部４４を上板部１１に固定するようにしてもよい。
【００４５】
掛止部４２は、第二支持部材３０の立上部３２の下降部３４を下側から掛け止める部位である。掛止部４２は、側面部４３の長手方向他端部（固定状態で第二支持部材３０に近い側）から直角に折れ曲がって、受部材１０の幅方向（Ｘ方向）外側に延在している。掛止部４２は、下降部３４の内面に挿入可能な大きさで、高さ寸法が小さい板状に形成されている。掛止部４２は、固定部材４０を設置したときに下降部３４の内面に当接する高さに形成されている。掛止部４２が下降部３４を掛け止めたときに、第二支持板部３１が下面支持部２２と同じ高さになる。
【００４６】
次に、前記構成の天井構造１の施工方法を説明する。本実施形態に係る天井構造１の施工方法は、受部材固定工程と支持部材仮固定工程と第二支持部材設置構成と天井板設置工程と支持部材本固定工程とを備えている。
【００４７】
受部材固定工程は、天井下地材２に受部材１０を固定する工程である。受部材１０を固定するに際しては、上板部１１の下側からビス１４を打って、受部材１０を天井下地材２の下面に固定する。このとき、従来のように天井板を押えながらの固定作業ではないので、容易且つ正確に受部材１０を固定することができる。
【００４８】
支持部材仮固定工程は、受部材１０に支持部材２０を仮固定する工程である。支持部材２０を仮固定するに際しては、図５の（ａ）に示すように、支持部材２０の被係止部２１を受部材１０の側面板部１２，１２間に嵌め込む。このとき、支持部材２０の上側第二鉤部２４ａを、受部材１０の上側第一鉤部１６ａと下側第一鉤部１６ｂの間まで押し込む。ここで、張出板部１３と下面支持部２２との間隔は、天井板３の厚さより大きい。
【００４９】
第二支持部材設置工程は、第二支持部材３０を受部材１０に交差して設置する工程である。第二支持部材３０を設置するに際しては、図６の（ａ）に示すように、第二支持部材３０を設置角度に対して水平方向に傾斜した状態で、受部材１０の高さまで持ち上げる。こうすることで、第二支持部材３０を、張出板部１３に干渉させることなく持ち上げることができる。
【００５０】
その後、図６の（ｂ）に示すように、第二支持部材３０を設置角度（受部材１０と直交する方向：Ｘ方向）まで回転させる。すると、第二支持部材３０の切欠部３５に、受部材１０の張出板部１３が入り込む。このとき、第二支持部材３０の両端部がそれぞれ隣り合う張出板部１３に係止されるので、第二支持部材３０が受部材１０間に架け渡されることになる。
【００５１】
次に、図７に示す固定部材４０を用いて、第二支持部材３０を受部材１０に固定する。図７の（ａ）に示すように、固定部材４０の掛止部４２が下側になるように立てた状態で、受部材１０の上方から被せる。このとき、掛止部４２が第二支持部材３０から離れた側に位置するように配置する。その後、固定部材４０を、受部材１０に沿って横方向に移動させる。
【００５２】
図７の（ｂ）に示すように、固定部材４０は、第二支持部材３０の近傍まで移動させる（図７の（ｂ）中、二点鎖線にて示す）。その後、固定部材４０の連結部４４が、受部材１０の上板部１１に当接するように、固定部材４０を回転させながら倒す。すると、掛止部４２が、第二支持部材３０の下降部３４の内側に入り込んで、下降部の内面に当接する。第二支持部材３０は、掛止部４２によって所定高さに持ち上げられる。固定部材４０を倒すと、傾斜板部４５が側面板部１２の上端部の突条１２ａに引っ掛かり、固定部材４０が受部材１０に係止される。この状態で、固定部材４０は、受部材１０の長手方向に沿って移動可能である。なお、後に天井板３の設置後に、貫通孔４６，４７のいずれかにビス（図示せず）を打ち込み、固定部材４０を受部材１０に本固定する。
【００５３】
天井板設置工程は、受部材１０の張出板部１３（上面当接部）と支持部材２０の下面支持部２２との間に天井板３の端縁部を挿入する工程である。このとき、張出板部１３と下面支持部２２との間隔が広いので、天井板３を挿入しやすい。また、第二支持部材３０は、必要に応じて受部材１０の長手方向に移動することもできる。さらに、天井板３は軽量であるとともに可撓性を有するので、天井板３の全周に渡って支持部材２０および第二支持部材３０が配置されていても、設置作業を容易に行うことができる。
【００５４】
支持部材本固定工程は、支持部材２０を受部材１０に本固定する工程である。支持部材２０を本固定するに際しては、図５の（ｂ）に示すように、支持部材２０の上側第二鉤部２４ａを、受部材１０の上側第一鉤部１６ａの上側まで押し込み、下側第二鉤部２４ｂを、上側第一鉤部１６ａと下側第一鉤部１６ｂの間に位置させる。すると、下側第二鉤部２４ｂの下面の水平面と、下側第一鉤部１６ｂの上面の水平面とが当接するので、支持部材２０が受部材１０にしっかり固定される。
【００５５】
そして、天井板３の端縁部が張出板部１３と下面支持部２２とで挟持されるので、天井板３が天井板取付部材５に確実に固定される。なお、第二支持部材３０においては、第二支持板部３１上に、天井板３の端縁部が載せ掛けられている。
【００５６】
以上のような構成の天井構造１およびその施工方向によれば、以下のような作用効果を奏する。
【００５７】
本実施形態に係る天井構造１では、受部材１０の下端の張出板部１３（上面当接部）と、支持部材２０の下面支持部２２とで、天井板３を挟持するので、天井板３が薄い場合でも容易に固定できる。また、立上板部２３の高さが異なる支持部材２０を製造すれば、種々の厚さの天井板３を固定することができる。
【００５８】
さらに、受部材１０の下端部に張出板部１３を形成しているので、天井下地材２と張出板部１３との間に、照明装置６等の設備機器の設置スペースを確保できる。これによって、設備機器を天井下地材２あるいは受部材１０と干渉させずに、任意の位置に設置することができる。
【００５９】
また、受部材１０のビス１４は、支持部材２０で隠すことができるので、美観が良好となる。
【００６０】
一方、受部材１０は、天井板３の設置前に天井下地材２に固定するので、天井板３を保持しながらビス止めする必要はない。したがって、施工を容易且つ正確に行うことができる。さらに、本実施形態では、第一鉤部１６および第二鉤部２４がそれぞれ二段形成されているので、張出板部１３と下面支持部２２との間隔を、仮固定状態と本固定状態の二段階にできる。これによって、張出板部１３と下面支持部２２との間隔が広い仮固定状態で天井板３の設置を容易に行うことができる。さらに、天井板３の位置調整を行った後に張出板部１３と下面支持部２２との間隔を狭めることで、正確な位置の天井板３を挟持して固定することができる。
【００６１】
さらに、本実施形態の天井構造１においては、第二支持部材３０をさらに備えているので、天井板３の周縁部を係止することができるので、天井板３が安定した状態で支持される。
【００６２】
また、本実施形態では、複数本の野縁（天井下地材２）の下部に複数本の受部材１０を固定しているので、天井下地材２，２，２・・と受部材１０，１０，１０・・が格子状に組み付けられる。したがって、天井下地材２および受部材１０全体の構造強度が大きくなる。さらに、第二支持部材３０は、第二支持板部３１の上部に突条３３と下降部３４を備えた立上部３２が形成されているので、立上部３２が、第二支持板部３１の補強リブの役目を果たすことができる。したがって、第二支持部材３０の構造強度を大きくすることができる。
【００６３】
さらに、本実施形態の天井構造１では、固定部材４０の掛止部４２が、第二支持部材３０を、下降部３４の内側から支持しているので、第二支持部材３０の荷重を、受部材１０の上板部１１と側面板部１２に伝達することができる。したがって、張出板部１３に過度の荷重が掛かるのを防止できる。
【００６４】
また、本実施形態の天井構造１では、天井板３は、ポリエステル製の板材と、板材の表面に敷設されたガラスクロスとを備えており、可撓性を有するので、天井板３が軽量であるとともに、設置時に変形可能である。したがって、天井板３の設置作業を容易に行うことができる。
【００６５】
次に図９を参照しながら、照明装置６周りの納まりを説明する。図９は、図２のＢ−Ｂ線部分の断面図である。図９に示すように、照明装置６は、隣り合う天井板取付部材５，５間に配置されている。具体的には、照明装置６は、受部材１０，１０の張出板部１３，１３間に架け渡されている。照明装置６を設置する部分では、支持部材２０と形状が異なる見切り付き支持部材１２０が用いられる。天井下地材２および受部材１０の構成は図１と同じである。
【００６６】
見切り付き支持部材１２０は、照明装置６側の下面支持部１２２の端部に見切り部１２１が形成されている。照明装置６側の下面支持部１２２には天井板３は係止されず、他方の下面支持部２２には、天井板３は係止される。見切り部１２１は、下面支持部２２と張出板部１３との隙間を塞ぐ部位である。見切り部１２１の上端には、被係止部２１側に突出する折返し部１２３が形成されている。折返し部１２３の上面は、張出板部１３の下面に当接している。なお、見切り付き支持部材１２０の他の構成は、支持部材２０と同等であるので、同じ符号を付して説明を省略する。
【００６７】
このような見切り付き支持部材１２０によれば、下面支持部２２と張出板部１３との隙間を塞ぐことができるので美観を向上できる。
【００６８】
次に図１０を参照しながら、間仕切り壁５０周りの納まりを説明する。図１０は、図２のＣ−Ｃ線部分の断面図である。図１０に示した間仕切り壁５０は、天井板取付部材５に沿って配置された壁（図２のＹ方向に延在する間仕切り壁５０）である。図１０に示すように、間仕切り壁５０の両側には、天井板取付部材５，５がそれぞれ配置されている。この天井板取付部材５は、図９と同じ構造の見切り付き支持部材１２０が用いられている。
【００６９】
間仕切り壁５０は、ランナー５１とスタッド５２と壁ボード５３とを備えている。上部のランナー５１は、天井下地材２の底面にビス５４を介して固定されている。スタッド５２は、上部のランナー５１と下部のランナー（図示せず）間に立設されている。スタッド５２の両側に壁ボード５３が敷設されている。壁ボード５３は、ランナー５１の高さまで延在しており、天井下地材２の下面に当接している。
【００７０】
受部材１０の張出板部１３の先端は、壁ボード５３の表面に当接している。見切り付き支持部材１２０の見切り部１２１は、間仕切り壁５０側に配置されている。このような構成によれば、下面支持部２２と張出板部１３との隙間を塞ぐことができるとともに、見切り付き支持部材１２０が回り縁の役目を果たすので美観を向上できる。
【００７１】
なお、間仕切り壁を天井板取付部材５に直交する方向に設ける場合は、ランナー５１は、受部材１０の下面に固定する。この場合、図１１に示す吊固定部材５５を用いる。図１１および図１２に示すように、吊固定部材５５は、当接板部５６と掛止板部５７とボルト部５８とを備えている。
【００７２】
当接板部５６は、受部材１０の下面に当接する部位で、矩形形状を呈している。当接板部５６の長辺寸法は、受部材１０の幅寸法（張出板部１３，１３の先端部間の寸法）よりも大きい。
【００７３】
掛止板部５７は、張出板部１３に載せ掛けられるとともに、側面板部１２に固定される部位である。掛止板部５７は、当接板部５６の対角線上の二隅に設けられている。掛止板部５７は、第一立上板部５９と水平板部６０と第二立上板部６１とを備えている。第一立上板部５９は、当接板部５６の長辺部の隅部から立ち上がる。水平板部６０は、第一立上板部５９の上端から水平方向に屈曲する。水平板部６０は、吊固定部材５５の固定時に張出板部１３上に載せ掛けられる（図１２の（ｂ）参照）。第二立上板部６１は、水平板部６０の先端から立ち上がる。第二立上板部６１は、吊固定部材５５の固定時に側面板部１２に当接する（図１２の（ｂ）参照）。第二立上板部６１には、貫通孔６２が形成されている。第二立上板部６１は、ビス６３を介して側面板部１２に固定される（図１２の（ｂ）参照）。一対の掛止板部５７，５７間の距離は、受部材１０の幅寸法よりも大きい。受部材１０を交差させた状態で、掛止板部５７，５７間に、受部材１０を配置することができる。
【００７４】
ボルト部５８は、ランナー５１を固定する部位であって、ランナー５１の上面に貫通する。ボルト部５８には、ランナー５１の下側からナット（図示せず）が螺合される。ボルト部５８は、当接板部５６の中心部に下方に向かって配置されている。ボルト部５８の上端部は、当接板部５６に溶接されている。
【００７５】
このような構成の吊固定部材５５を受部材１０に固定するに際しては、まず、図１２の（ａ）に示すように、受部材１０の下方から吊固定部材５５を持ち上げる。このとき、一対の掛止板部５７，５７が受部材１０の両側に位置するように配置する。その後、掛止板部５７の第二立上板部６１が、受部材１０の側面板部１２に当接するように、吊固定部材５５を回転させる。すると、水平板部６０が張出板部１３上に載せ掛けられ、吊固定部材５５が掛止される。
【００７６】
そして、図１２の（ｂ）に示すように、ビス６３を第二立上板部６１から側面板部１２に打ち込んで、吊固定部材５５を受部材１０に固定する。その後、ランナー５１を吊固定部材５５の下側から設置して、ボルト部５８にナットを螺合させる。これで、ランナー５１が受部材１０の下部に固定される。
【００７７】
以上のような構成の吊固定部材５５を用いれば、ランナー５１を受部材１０の下部に容易に固定することができる。また、吊固定部材５５は、受部材１０の長手方向の任意の位置に固定することができる。なお、図１２では、ランナー５１は受部材１０と直交する方向に延在して固定されているが、ランナー５１の設置角度は任意に設定可能であって、受部材１０に沿った方向に延在して固定することも可能である。また、吊固定部材５５は、ランナー５１以外の部材であっても、容易に受部材１０に固定することができる。
【００７８】
このような構成であっても、天井板は周縁部を支持部材とこれに直交する第二支持部材に、天井板の周縁部が載せ掛けられるので、天井板を確実に固定することができる。また、受部材の高さ分の設備機器設置スペースが確保できる。これによって、天井板の厚さに関わらず設備機器を任意の位置に設置できる。さらに、支持部材が受部材を覆ってビスが隠されるので、美観が良好となる。
【００７９】
以上、本発明を実施するための形態についてそれぞれ説明したが、本発明は前記の実施形態に限定されず、本発明の趣旨を逸脱しない範囲で、材質、形状や大きさなど適宜設計変更が可能である。たとえば、前記実施形態では、受部材１０と支持部材２０は、それぞれアルミニウム製の押出形材にて一体形成されているが、これに限定されるものではない。受部材１０と支持部材２０は、鋳造や鍛造にて形成してもよいし、板材を折り曲げ加工して形成してもよい。また、受部材は、上板部の中心部で二分割された二部材にて構成されるものであってもよいし、支持部材を係止する部分（前記実施形態では、上板部１１と側面板部１２，１２に相当する）と、上面当接部を構成する部分（前記実施形態では、張出板部１３に相当する）とが別体で形成されていてもよい。
【００８０】
また、前記実施形態では、受部材１０は張出板部１３を備えており、張出板部１３が上面当接部を構成しているが、これに限定されるものではない。図１３に示すように、受部材１１０が張出板部を備えておらず、側面板部１２の下端面が上面当接部１１３を構成するようにしてもよい。このような形態においても、前記実施形態と同様の作用効果を得られる。
【００８１】
さらなる他の実施形態として、図１４に示すような形態もある。この実施形態は、天井板３が支持部材２０の下面支持部２２上に載せ掛けられているだけの形態であって、請求項９に記載の発明に対応する形態である。この場合、受部材１１１の側面板部１１２の高さ寸法は、前記実施形態の側面板部１２（図１参照）より短く、側面板部１１２の下端面は天井板３に当接していない。また、天井板３の上面が受部材に当接しない他の形態としては、受部材の形態は前記実施形態と同じで、支持部材の立上板部の高さ寸法が前記実施形態よりも大きいものであってもよい。この実施形態によれば、前記実施形態と同様の作用効果の他に、下記の作用効果が得られる。つまり、天井板３が下面支持部２２上に載せ掛けられているだけであるので、天井板３が側面板部１１２の下面に当接しない範囲で、任意の厚さ寸法に対応することができる。
【００８２】
また、前記実施形態では、第一鉤部１６と第二鉤部２４は、それぞれ上下二段に形成されているが、これに限定されるものではない。第一鉤部と第二鉤部をそれぞれ上下三段以上に形成してもよいし、いずれか一方を上下三段以上に形成してもよい。このようにすれば、上面当接部と下面支持部との間隔を三段階以上にできる。これによって、仮固定状態と複数の本固定状態を構成できるので、複数種の厚さの天井板を固定することができる。
【００８３】
さらに、第二支持部材３０および固定部材４０の形状は、図４、図６乃至図８に示した形状に限定されるものではない。以下に、変形例に係る第二支持部材および固定部材の構成を説明する。
【００８４】
図１５乃至図１７に示すように、第二支持部材２３０は、天井板取付部材５（受部材１０）に直交する方向（Ｘ方向）に延在しており、隣り合う受部材１０，１０間に架け渡されている。第二支持部材２３０は、一対の第二支持板部２３１，２３１と立上部２３２とを備えている。第二支持部材２３０は、アルミニウム製の押出形材にて構成されている。第二支持部材２３０は、固定部材２４０を介して受部材１０に固定される。
【００８５】
第二支持板部２３１は、天井板３の端縁部を下側から支持する板状の部位である。図１５に示すように、第二支持板部２３１は、立上部２３２を中心に幅方向（Ｙ方向）外側にそれぞれ広がっている。第二支持板部２３１の長手方向（Ｘ方向）端部は、受部材１０の張出板部１３の下方に位置し、支持部材２０を設置したときに、下面支持部２２の上面に当接する（図１７参照）。第二支持板部２３１の上面が、天井板３の下面と当接する当接面となる。両側の第二支持板部２３１，２３１は、面一となっており、下方から見て一枚の板状になっている。第二支持板部２３１，２３１の幅寸法は、下面支持部２２，２２の幅寸法と等しい。第二支持板部２３１，２３１は、隣り合う天井板３，３間の目地となる。
【００８６】
立上部２３２は、突条２３３と水平板部２３４とを備えている。突条２３３は、第二支持板部２３１の上面から立ち上がる板状の部位である。突条２３３は、第二支持部材２３０の幅方向中央から上方に延在する。立上部２３２は、第二支持板部３１の補強リブの役目を果たす。
【００８７】
水平板部２３４は、天井板３の上面に当接して、第二支持板部２３１とで天井板３を挟む部位である。水平板部２３４は、突条２３３の側面から側方に広がって形成されている。水平板部２３４は、突条２３３を中心に両側にそれぞれ形成されている。水平板部２３４は、第二支持板部２３１と平行になるように形成されており、水平板部２３４の張出し寸法は、第二支持板部２３１の張出し寸法より小さい。水平板部２３４と第二支持板部２３１との間隔は、天井板３の厚さ寸法と略同等であり、水平板部２３４と第二支持板部２３１とで天井板３の端縁部を挟持する。
【００８８】
立上部２３２の長手方向端部であって、第二支持部材２３０が受部材１０と交差して接続される交差部分には、切欠部２３５が形成されている。切欠部２３５は、張出板部１３（上面当接部）が入り込むスペースである。切欠部２３５は、水平板部２３４の下側に形成されており、切欠部２３５の上面と水平板部２３４の下面は面一になっている。切欠部２３５を形成したことで、張出板部１３が水平板部２３４の下方に入り込んで、水平板部２３４が張出板部１３上に載置される（図１６および図１７参照）。
【００８９】
固定部材２４０は、受部材１０と第二支持部材２３０とを固定する部材である。固定部材２４０は、本体部２４１と張出部２４２とを備えている。本体部２４１は、断面下向きコ字状を呈し受部材１０を上から覆う。本体部２４１は、一対の側面部２４３，２４３と連結部２４４とを備えている。側面部２４３は、長方形形状を呈しており、受部材１０の側面板部１２の外側に沿って配置される（図１５の（ｂ）参照）。側面部２４３には、側面板部１２側に傾斜する傾斜板部２４５が切起しにて形成されている。傾斜板部２４５は、側面部２４３をカットしてその一部を折り曲げて形成されている。傾斜板部２４５が側面板部１２の上端部の突条１２ａに引っ掛かることで、固定部材２４０が受部材１０に係止される。
【００９０】
連結部２４４は、側面部２４３，２４３の上端部同士を連結する部位であって、受部材１０の上板部１１上に配置される。連結部２４４には、受部材１０の内側から打たれたビス１４が貫通される。これによって、固定部材２４０が受部材１０に固定される（図１６および図１７参照）。
【００９１】
張出部２４２は、第二支持部材２３０の立上部２３２の端部を固定する部位である。張出部２４２は、側面部２４３の端部に直交して、Ｘ方向に広がる板状部材である。張出部２４２は、第二支持部材２３０の立上部２３２の端部に当接する。張出部２４２には、貫通孔２４７が形成されており、ビス１４を立上部２３２の突条２３３に打つことで、第二支持部材２３０を固定部材２４０に固定する。張出部２４２の先端には、突条２３３を挟む挟持部２４６が形成されている。挟持部２４６は、張出部２４２の先端の板材を折り曲げて形成されており、張出部２４２の基端部側に接する突条２３３の面とは逆側の面に当接する。
【００９２】
なお、図１７に示す受部材１０は、側面板部１２の内側面（対向面）の係止部２１５が、前記実施形態の係止部１５より上方に形成されている。かかる係止部２１５は、上側第一鉤部１６ａと下側第一鉤部１６ｂと、突条１６ｃを備えている。上側第一鉤部１６ａと下側第一鉤部１６ｂの形状は、前記実施形態と同じである。突条１６ｃは、上側第一鉤部１６ａの上方に、受部材１０の長手方向に沿って形成されており、補強リブの役目を果たす。受部材１０のその他の構成は、前記実施形態と同様であるので、同じ符号を付して説明を省略する。
【００９３】
また、図１７に示す支持部材２０は、被係止部２２１の形状が前記実施形態と異なる。かかる被係止部２２１は、下向きの凸形状を呈しており、二股の外側面には、上下三段の鉤部が形成されている。鉤部は、上側第二鉤部２２４ａと中段第二鉤部２２４ｂと下側第二鉤部２２４ｃとを備えている。上側第二鉤部２２４ａと中段第二鉤部２２４ｂは、上端部が断面円弧形状を呈し、下端が水平面になっている。下側第二鉤部２２４ｃは、下側第一鉤部１６ｂと噛み合う形状になっている。支持部材２０のその他の構成は、前記実施形態と同様であるので、同じ符号を付して説明を省略する。
【００９４】
次に、第二支持部材２３０を受部材１０に交差して設置する工程を説明する。第二支持部材２３０を設置するに際しては、図１５の（ａ）に示すように、第二支持部材２３０を、受部材１０の側方から接近させる。すると、第二支持部材２３０の切欠部２３５に、受部材１０の張出板部１３が入り込み、水平板部２３４が張出板部１３上に載置される。立上部２３２の端面は、受部材１０の側面板部１２に対向して近接している。
【００９５】
そして、図１５の（ｂ）に示すように、固定部材２４０を、受部材１０の上方から被せる。このとき、固定部材２４０の張出部２４２の基端側部分と、先端の挟持部２４６とで、第二支持部材２３０の突条２３３が挟まれる。さらに、固定部材２４０の傾斜板部２４５が側面板部１２の上端部の突条１２ａに引っ掛かり、固定部材２４０が受部材１０に係止される。これによって、第二支持部材２３０が仮固定される。
【００９６】
その後、天井板３の端縁部を、水平板部２３４と第二支持板部２３１との間に挿入し、水平板部２３４と第二支持板部２３１とで天井板３の端縁部を挟持する。この状態で、第二支持部材２３０の通り位置調整を行う。通り位置調整は、第二支持部材２３０と固定部材２４０を受部材１０の長手方向に沿って移動させて行う。第二支持部材２３０の位置調整が完了したら、図１６および図１７に示すように、受部材１０の上板部１１の下側から、固定部材２４０の連結部２４４に向けてビス１４を打ち込み、固定部材２４０を受部材１０に本固定する。
【００９７】
次に、支持部材２０の被係止部２２１を、受部材１０の側面板部１２，１２間に挿入して、被係止部２２１を、受部材１０の係止部２１５に噛み合わせる。これによって、支持部材２０が受部材１０に固定される。これと同時に、天井板３の端縁部が張出板部１３と下面支持部２２とで挟持されるので、天井板３が確実に固定される。
【００９８】
以上のような構成の天井構造および第二支持部材２３０の設置工程によれば、前記実施形態の作用効果の他に以下のような作用効果を奏する。
【００９９】
本実施形態に係る天井構造では、第二支持部材２３０の第二支持板部２３１と水平板部２３４とで天井板３を挟持しているので、天井板３を、周縁部全周に亘って固定することができる。したがって、天井板３がより一層安定した状態で支持される。
【０１００】
また、第二支持部材２３０の設置工程においては、第二支持部材２３０を仮固定した状態で、通り位置調整を行うことができるので、作業を容易に行うことができる。さらに、第二支持部材２３０で天井板３を挟持した後に通り位置調整を行うので、天井板３の設置作業も容易に行うことができる。
【符号の説明】
【０１０１】
１      天井構造
２      天井下地材
３      天井板
５      天井板取付部材
６      照明装置（設備機器）
１０    受部材
１１    上板部
１２    側面板部
１３    張出板部（上面当接部）
１５    係止部
１６    第一鉤部
２０    支持部材
２１    被係止部
２２    下面支持部
２３    立上板部
２４    第二鉤部
３０    第二支持部材
３１    第二支持板部
３２    立上部
３３    突条
３４    下降部
３５    切欠部
４０    固定部材
４１    本体部
４２    掛止部
１１０  受部材
１１１  受部材
１１２  側面板部
１１３  上面当接部
１２０  支持部材
１２２  下面支持部
２３０  第二支持部材
２３１  第二支持板部
２３２  立上部
２３３  突条
２３４  水平板部
２３５  切欠部
２４０    固定部材
２４１    本体部
２４２    張出部
【図１】
2018071338.tif 000003
【図２】
2018071338.tif 000004
【図３】
2018071338.tif 000005
【図４】
2018071338.tif 000006
【図５】
2018071338.tif 000007
【図６】
2018071338.tif 000008
【図７】
2018071338.tif 000009
【図８】
2018071338.tif 000010
【図９】
2018071338.tif 000011
【図１０】
2018071338.tif 000012
【図１１】
2018071338.tif 000013
【図１２】
2018071338.tif 000014
【図１３】
2018071338.tif 000015
【図１４】
2018071338.tif 000016
【図１５】
2018071338.tif 000017
【図１６】
2018071338.tif 000018
【図１７】
2018071338.tif 000019